(57)【要約】【課題】  １ｘＥＶ−ＤＯシステムの障害時に，１Ｘシステムに呼接続を切換える方法及びシステムを提供する。【解決手段】  ハイブリッド端末機（ＨＡＴ）からＣＤＭＡ２０００  １ｘＥＶ−ＤＯシステムに呼接続を要請する時，ＣＤＭＡ２０００  １ｘＥＶ−ＤＯシステムに障害が発生する場合，ＣＤＭＡ２０００  １Ｘシステムに呼接続を切換えて呼接続を遂行する１ｘＥＶ−ＤＯシステム障害時，１Ｘシステムに呼接続を切換える方法及びシステムを提供するためのものであって，ハイブリッド端末機１１０，１ｘ伝送機１２２，１ｘ制御器１３２，移動通信交換局１４０，１ｘＥＶ−ＤＯ伝送機１２４，１ｘＥＶ−ＤＯ（アクセス網）制御器１３４，パケットデータサービングノード１５０及びＩＰ網１６０を含むことを特徴とする。
2006512868.tif 000002
【特許請求の範囲】
【請求項１】
ＣＤＭＡ２０００  １ｘＥＶ−ＤＯシステム（以下，‘１ｘＥＶ−ＤＯシステム'という）の障害発生の際，ＣＤＭＡ ２０００  １Ｘシステム（以下，‘１Ｘシステム'という）で呼接続を切換えるハイブリッド移動通信システムにおいて，
前記１Ｘシステムと連動し，音声信号伝送サービスまたは低速データ伝送サービスの提供を受けるための１Ｘモード，または，前記１ｘＥＶ−ＤＯシステムと連動し，高速データ伝送サービスの提供を受けるための１ｘＥＶ−ＤＯモードで動作して，前記高速データ伝送サービスの提供を受けるための前記１ｘＥＶ−ＤＯシステムに呼接続を試みる際，前記１ｘＥＶ−ＤＯシステムからコネクション拒否メッセージを受信すると，前記１Ｘモードに切換え，前記１Ｘシステムで呼接続を実行し，データ伝送サービスの提供を受けるハイブリッド端末機と；
エアーインターフェースを通じて前記ハイブリッド端末機に前記高速データ伝送サービスを高速で提供する１ｘＥＶ−ＤＯ伝送機と；
前記ハイブリッド端末機に前記音声信号伝送サービスまたは前記低速データ伝送サービスを提供する１Ｘ伝送機と；
前記１ｘＥＶ−ＤＯ伝送機の前記高速データ伝送サービスを制御する１ｘＥＶ−ＤＯ制御器と；
前記１Ｘ伝送機の前記音声信号伝送サービスまたは前記低速データ伝送サービスを制御する１Ｘ制御器と；
前記ハイブリッド端末機からの通信呼に対し，前記１Ｘシステムに通信接続経路をスイッチングして提供する移動通信交換局と；
ＩＰ（Ｉｎｔｅｒｎｅｔ  Ｐｒｏｔｏｃｏｌ）パケット形態で前記１ｘＥＶ−ＤＯシステムと高速データを送受信するパケットデータノード（ＰＤＳＮ：Ｐａｃｋｅｔ  Ｄａｔａ  Ｓｅｒｖｉｃｅ  Ｎｏｄｅ）と；
を含むことを特徴とする，ハイブリッド移動通信システム。
【請求項２】
前記ハイブリッド端末機は，待機状態で前記１Ｘシステムと通信を遂行するように前記１Ｘモードに設定されており，前記１ｘＥＶ−ＤＯシステムからデータが着信されたかどうかを確認するために，一定時間間隔で前記１ｘＥＶ−ＤＯモードに切換えてから，また前記１Ｘモードに復帰する動作を遂行することを特徴とする，請求項１記載のハイブリッド移動通信システム。
【請求項３】
前記ハイブリッド端末機は，前記１ｘＥＶ−ＤＯモードにおいて前記１ｘＥＶ−ＤＯシステムから高速データを受信している最中に，前記１Ｘシステムから音声信号の着信があるかどうかを確認するために，一定時間間隔ごとに前記１Ｘモードに切換えてから，また前記１ｘＥＶ−ＤＯモードに復帰する動作を繰り返して遂行することを特徴とする，請求項１記載のハイブリッド移動通信システム。
【請求項４】
前記１ｘＥＶ−ＤＯシステムから前記ハイブリッド端末機にデータを伝送する順方向リンク時には，時分割多元接続（ＴＤＭＡ：Ｔｉｍｅ  Ｄｉｖｉｓｉｏｎ  Ｍｕｌｔｉｐｌｅ  Ａｃｃｅｓｓ）方式を用いて，
前記ハイブリッド端末機から前記１ｘＥＶ−ＤＯシステムにデータを伝送する逆方向リンク時には符号分割多重接続（ＣＤＭＡ：Ｃｏｄｅ  Ｄｉｖｉｓｉｏｎ  Ｍｕｌｔｉｐｌｅ  Ａｃｃｅｓｓ）方式を用いることを特徴とする，請求項１記載のハイブリッド移動通信システム。
【請求項５】
前記１ｘＥＶ−ＤＯシステムから前記ハイブリッド端末機にデータを伝送する前記順方向リンク時には，出力制御を行わずに最大の出力で送出して，ハードハンドオフを遂行して，
前記逆方向リンク時には，ハイブリッド端末機毎に出力制御を遂行してソフトハンドオフを遂行することを特徴とする，請求項４記載のハイブリッド移動通信システム。
【請求項６】
前記ハイブリッド端末機の前記１Ｘモードへの切換は，ＭＳＭ（Ｍｏｂｉｌｅ  Ｓｔａｔｉｏｎ  Ｍｏｄｅｍ）チップの制御によりサーチャーモジュールが前記１Ｘシステムで使用する周波数を追跡してスイッチングすることを特徴とする，請求項１記載のハイブリッド移動通信システム。
【請求項７】
前記順方向リンク時には，
前記１ｘＥＶ−ＤＯシステムが前記ハイブリッド端末機を追跡するためのパイロット信号を送出するパイロットチャネルと，
逆方向リンクの制御に使われるＭＡＣ（Ｍｅｄｉｕｍ  Ａｃｃｅｓｓ  Ｃｏｎｔｒｏｌ）チャネルと，
前記１ｘＥＶ−ＤＯシステムから前記ハイブリッド端末機にブロードキャストメッセージや特定のハイブリッド端末機を直接制御するための直接メッセージを伝送することに使われる制御チャネルと，
前記１ｘＥＶ−ＤＯシステムから前記ハイブリッド端末機に純粋なパケットデータのみを伝送することに使われるトラフィックチャネルと，
が用いられることを特徴とする，請求項５記載のハイブリッド移動通信システム。
【請求項８】
前記１ｘＥＶ−ＤＯシステムは，セクタ当たりの処理量を最大化して，各使用者にチャネル状況により高いデータ伝送率を割り当てるために，１つのセクタ内にある１つのハイブリッド端末機に高速データを伝送する際，最大の出力で高速データ伝送サービスを提供することを特徴とする，請求項１記載のハイブリッド移動通信システム。
【請求項９】
前記パイロットチャネルは，前記ハイブリッド端末機が，前記１ｘＥＶ−ＤＯシステムの無線基地局の干渉検出のために参照する用途に使われることを特徴とする，請求項７記載のハイブリッド移動通信システム。
【請求項１０】
前記ハイブリッド端末機は，前記パイロットチャネルを通じて伝送される１つ以上のパイロット信号を受信して，受信されたパイロット信号の中で，最も強さの大きいパイロット信号を伝送した無線基地局に接続することを特徴とする，請求項７記載のハイブリッド移動通信システム。
【請求項１１】
１ｘＥＶ−ＤＯシステムの障害発生の際，１Ｘシステムに呼接続を切換えて呼接続を遂行する，１ｘＥＶ−ＤＯシステムの障害時に１Ｘシステムに呼接続を切換える方法であって，
（ａ）前記１Ｘシステムと通信するための１Ｘモードと，前記１ｘＥＶ−ＤＯシステムと通信するための１ｘＥＶ−ＤＯモードを初期化して，通信を待機するステップと；
（ｂ）前記１Ｘモードと前記１ｘＥＶ−ＤＯモードに対して，デュアルモニタリングを遂行するステップと；
（ｃ）マルチメディアデータの送受信のために，前記１ｘＥＶ−ＤＯモードをアクティブ状態にするステップと；
（ｄ）前記１ｘＥＶ−ＤＯシステムにコネクション要請メッセージを伝送して呼接続を要求するステップと；
（ｅ）前記１ｘＥＶ−ＤＯシステムからコネクション拒否メッセージが受信されたかどうかを判断するステップと；
（ｆ）前記コネクション拒否メッセージを受信すると，前記１ｘＥＶ−ＤＯモードの動作を中止して，前記１Ｘモードに切換えて前記１Ｘモードをアクティブ状態にするステップと；
（ｇ）前記１Ｘシステムに呼接続を実行し，データを送受信するステップと；
を含むことを特徴とする，１ｘＥＶ−ＤＯシステムの障害時に１Ｘシステムに呼接続を切換える方法。
【請求項１２】
前記ステップ（ｅ）において，前記１ｘＥＶ−ＤＯシステムから前記コネクション拒否メッセージが受信されずにコネクション応答メッセージが受信された場合，前記１ｘＥＶ−ＤＯシステムとコネクション及びセッションを設定し呼接続をした後，高速データの送受信を遂行することを特徴とする，請求項１１記載の１ｘＥＶ−ＤＯシステムの障害時に１Ｘシステムに呼接続を切換える方法。
【請求項１３】
前記ステップ（ａ）において，待機状態において前記１Ｘシステムに通信を遂行するように前記１Ｘモードに設定されており，前記１Ｘモード状態で前記１ｘＥＶ−ＤＯシステムから高速データが受信されたかどうかを確認するために，一定時間間隔で前記１ｘＥＶ−ＤＯモードに切換えてから，また前記１Ｘモードに復帰することを特徴とする，請求項１１記載の１ｘＥＶ−ＤＯシステムの障害時に１Ｘシステムに呼接続を切換える方法。
【請求項１４】
前記ステップ（ｂ）において，前記１ｘＥＶ−ＤＯモード状態において高速データを受信する中に，前記１Ｘシステムから前記１Ｘモードに音声信号の着信があるかどうかを確認するために，一定時間間隔ごとに前記１Ｘモードに切換えてから，また前記１ｘＥＶ−ＤＯモードに復帰することを特徴とする，請求項１１記載の１ｘＥＶ−ＤＯシステムの障害時に１Ｘシステムに呼接続を切換える方法。
【請求項１５】
前記セッションの設定は，
前記１ｘＥＶ−ＤＯシステムにＵＡＴＩ（Ｕｎｉｃａｓｔ  Ａｃｃｅｓｓ  Ｔｅｒｍｉｎａｌ  Ｉｄｅｎｔｉｆｉｅｒ）を要請して，前記１ｘＥＶ−ＤＯシステムから前記ＵＡＴＩの割当を受けて設定して，
前記ＵＡＴＩは，前記１ｘＥＶ−ＤＯシステムにおいてハイブリッド端末機に割当てる番号を表す前記ハイブリッド端末機のＩＤであり，
前記ハイブリッド端末機と前記１ｘＥＶ−ＤＯシステムとの間にセッションが形成されると，高速データ呼のセットアップ，出力制御，ハンドオフに使われるパラメータが設定されることを特徴とする，請求項１２記載の１ｘＥＶ−ＤＯシステムの障害時に１Ｘシステムに呼接続を切換える方法。
【請求項１６】
前記１ｘＥＶ−ＤＯシステムからハイブリッド端末機に伝送する順方向リンク（Ｆｏｗａｒｄ
Ｌｉｎｋ）時には，時分割多元接続（ＴＤＭＡ：Ｔｉｍｅ  Ｄｉｖｉｓｉｏｎ  Ｍｕｌｔｉｐｌｅ  Ａｃｃｅｓｓ）方式を用いて，
前記ハイブリッド端末機から前記１ｘＥＶ−ＤＯシステムに伝送する逆方向リンク（Ｒｅｖｅｒｓｅ  Ｌｉｎｋ）時には符号分割多重接続（ＣＤＭＡ：Ｃｏｄｅ  Ｄｉｖｉｓｉｏｎ  Ｍｕｌｔｉｐｌｅ  Ａｃｃｅｓｓ）方式を用いることを特徴とする，請求項１１記載の１ｘＥＶ−ＤＯシステムの障害時に１Ｘシステムに呼接続を切換える方法。
【請求項１７】
前記順方向リンク時には，
前記１ｘＥＶ−ＤＯシステムが前記ハイブリッド端末機を追跡するためのパイロット信号を送出するパイロットチャネルと，
逆方向リンクの制御に使われるＭＡＣ（Ｍｅｄｉｕｍ  Ａｃｃｅｓｓ  Ｃｏｎｔｒｏｌ）チャネルと，
前記１ｘＥＶ−ＤＯシステムから前記ハイブリッド端末機にブロードキャストメッセージや特定のハイブリッド端末機を直接制御するための直接メッセージを伝送することに使われる制御チャネルと，
前記１ｘＥＶ−ＤＯシステムから前記ハイブリッド端末機に純粋なパケットデータのみを伝送することに使われるトラフィックチャネルと，
が用いられることを特徴とする，請求項１６記載の１ｘＥＶ−ＤＯシステムの障害時に１Ｘシステムに呼接続を切換える方法。
【請求項１８】
前記パイロットチャネルは，
前記ハイブリッド端末機が前記１ｘＥＶ−ＤＯシステムの無線基地局の干渉検出のために参照する用途に使われることを特徴とする，請求項１７記載の１ｘＥＶ−ＤＯシステムの障害時に１Ｘシステムに呼接続を切換える方法。
【請求項１９】
前記ハイブリッド端末機は前記パイロットチャネルを通じて伝送される１つ以上のパイロット信号を受信して，受信されたパイロット信号中，信号の強さが最も大きいパイロット信号を伝送した無線基地局に接続することを特徴とする請求項１７記載の１ｘＥＶ−ＤＯシステムの障害時に１Ｘシステムに呼接続を切換える方法。
【請求項２０】
前記１ｘＥＶ−ＤＯモードから前記１Ｘモードへのスイッチングは，ＭＳＭ（Ｍｏｂｉｌｅ  Ｓｔａｔｉｏｎ  Ｍｏｄｅｍ）チップの制御によりサーチャーモジュールが前記１Ｘシステムで使用する周波数を追跡してスイッチングすることを特徴とする，請求項１４記載の１ｘＥＶ−ＤＯシステムの障害時に１Ｘシステムに呼接続を切換える方法。
【請求項２１】
１ｘＥＶ−ＤＯシステムの障害発生時，１Ｘシステムに呼接続を切換えるハイブリッド端末機であって，
前記１Ｘシステムと連動し，音声信号伝送サービス，または，低速データ伝送サービスの提供を受けるための１Ｘモード，または，前記１ｘＥＶ−ＤＯシステムと連動し，高速データ伝送サービスの提供を受けるための１ｘＥＶ−ＤＯモードに動作して，
前記高速データ伝送サービスの提供を受けるために，前記１ｘＥＶ−ＤＯシステムに呼接続を試みる時，前記１ｘＥＶ−ＤＯシステムからコネクション拒否メッセージを受信すると，前記１Ｘモードに切換えて，前記１Ｘシステムに呼接続を実行し，データ伝送サービスの提供を受けることを特徴とする，ハイブリッド端末機。
【請求項２２】
前記ハイブリッド端末機は，待機状態において前記１Ｘシステムと通信を遂行するように前記１Ｘモードに設定されており，前記１ｘＥＶ−ＤＯシステムからデータが着信されたかどうかを確認するために，一定時間間隔で前記１ｘＥＶ−ＤＯモードに切換えてから，また前記１Ｘモードに復帰する動作を遂行することを特徴とする，請求項２１記載のハイブリッド端末機。
【請求項２３】
前記ハイブリッド端末機は，前記１ｘＥＶ−ＤＯモードにおいて前記１ｘＥＶ−ＤＯシステムから高速データを受信している時に，前記１Ｘシステムから音声信号の着信があるかどうかを確認するために，一定時間間隔ごとに前記１Ｘモードに切換えてから，また前記１ｘＥＶ−ＤＯモードに復帰する動作を繰り返して遂行することを特徴とする，請求項２１記載のハイブリッド端末機。
【請求項２４】
前記１ｘＥＶ−ＤＯシステムから前記ハイブリッド端末機にデータを伝送される順方向リンク時には時分割多元接続（ＴＤＭＡ：Ｔｉｍｅ  Ｄｉｖｉｓｉｏｎ  Ｍｕｌｔｉｐｌｅ  Ａｃｃｅｓｓ）方式を用いて，
前記ハイブリッド端末機から前記１ｘＥＶ−ＤＯシステムにデータを伝送する逆方向リンク時には符号分割多重接続（ＣＤＭＡ：Ｃｏｄｅ  Ｄｉｖｉｓｉｏｎ  Ｍｕｌｔｉｐｌｅ  Ａｃｃｅｓｓ）方式を用いることを特徴とする，請求項２１記載のハイブリッド端末機。
【請求項２５】
前記ハイブリッド端末機の前記１Ｘモードへの切換は，ＭＳＭチップの制御によりサーチャーモジュールが前記１Ｘシステムで使用する周波数を追跡してスイッチングすることを特徴とする請求項２１記載のハイブリッド端末機。
【発明の詳細な説明】
【技術分野】
【０００１】
本発明は，１ｘＥＶ−ＤＯシステムの障害発生の際，１Ｘシステムに呼接続を切換える方法及びシステムに関する。より詳細には，ハイブリッド端末機（ＨＡＴ：Ｈｙｂｒｉｄ  Ａｃｃｅｓｓ  Ｔｅｒｍｉｎａｌ）からＣＤＭＡ２０００  １ｘＥＶ−ＤＯシステムに呼接続を要請する際，ＣＤＭＡ２０００  １ｘＥＶ−ＤＯシステムに障害が発生する場合，ＣＤＭＡ２０００  １Ｘシステムに呼接続を切換えて呼接続を遂行する，１ｘＥＶ−ＤＯシステムの障害時に１Ｘシステムに呼接続を切換える方法及びシステムに関する。
【背景技術】
【０００２】
移動通信システムは，第１世代アナログＡＭＰＳ（Ａｄｖａｎｃｅｄ  Ｍｏｂｉｌｅ  Ｐｈｏｎｅ  Ｓｙｓｔｅｍｓ）方式と，第２世代セルラー（Ｃｅｌｌｕｌａｒ）／個人携帯通信（ＰＣＳ：Ｐｅｒｓｏｎａｌ  Ｃｏｍｍｕｎｉｃａｔｉｏｎ  Ｓｅｒｖｉｃｅ）方式を経て発展してきたものであり，最近は，第３世代高速データ通信であるＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ‐２０００）が開発されて実用化されている。
【０００３】
ＩＭＴ‐２０００サービスは，ＣＤＭＡ（Ｃｏｄｅ  Ｄｉｖｉｓｉｏｎ  Ｍｕｌｔｉｐｌｅ  Ａｃｃｅｓｓ）２０００  １Ｘサービスと，ＣＤＭＡ２０００  １ｘＥＶ−ＤＯ（１ｘ  ＥＶｏｌｕｔｉｏｎ  Ｄａｔａ  Ｏｐｔｉｍｉｚｅｄ）サービスとに区分することができる。
【０００４】
ＣＤＭＡ２０００  １Ｘサービスは，既存のＩＳ‐９５Ａ，ＩＳ‐９５Ｂ網から進化したＩＳ‐９５Ｃ網を用いて，既存のＩＳ‐９５Ａ／Ｂ網で支援した速度である１４．４Ｋｂｐｓや５６Ｋｂｐｓよりはるかに速い，最高１４４Ｋｂｐｓで無線インターネットが可能なサービスである。従って，ＣＤＭＡ２０００  １Ｘサービスを通じて既存の音声及びＷＡＰ（Ｗｉｒｅｌｅｓｓ  Ａｐｐｌｉｃａｔｉｏｎ  Ｐｒｏｔｏｃｏｌ）サービス品質の向上は勿論，各種マルチメディアサービス（ＡＯＤ：Ａｕｄｉｏ  Ｏｎ  Ｄｅｍａｎｄ，ＶＯＤ：Ｖｉｄｅｏ  Ｏｎ  Ｄｅｍａｎｄ等）の提供も可能である。
【０００５】
一方，マルチメディア移動通信サービスのためのＩＭＴ‐２０００システムは，国際標準化機構である３ＧＰＰ（３ｒｄ  Ｇｅｎｅｒａｔｉｏｎ  Ｐａｒｔｎｅｒｓｈｉｐ  Ｐｒｏｊｅｃｔｓ）２において同期方式のＩＭＴ‐２０００システムの規格を定義したが，高速パケットの伝送のための方式でクアルコム（Ｑｕａｌｃｏｍｍ）社のＨＤＲ（Ｈｉｇｈ  Ｄａｔａ  Ｒａｔｅ）を根幹とする方式を“ＣＤＭＡ２０００  １ｘＥＶ−ＤＯ”と命名して，国際的標準に定めた。ＣＤＭＡ２０００  １ｘＥＶ−ＤＯ（以下，‘１ｘＥＶ−ＤＯ'という）方式は，ＣＤＭＡ２０００  １Ｘ（以下，‘１Ｘ'という）方式の通信規格でデータのみを伝送することを規定したものであって，１Ｘ方式より進化した方式である。
【０００６】
１Ｘ方式は，サーキット（Ｃｉｒｃｕｉｔ）網とパケット（Ｐａｃｋｅｔ）網とが混用される形態で，最大３０７．２Ｋｂｐｓの伝送速度を有する単方向高速データサービスを提供する。一方，１ｘＥＶ−ＤＯ方式は，パケット網専用で，最大２．４Ｍｂｐｓの伝送速度を有する双方向高速データサービスを提供する。
【０００７】
以下，説明の便宜上，ＣＤＭＡ２０００  １Ｘシステムを“１Ｘシステム”に，ＣＤＭＡ２０００  １ｘＥＶ−ＤＯ
システムを“１ｘＥＶ−ＤＯシステム”に略して説明する。
【０００８】
現在，１ｘＥＶ−ＤＯシステムは，既存の１Ｘシステムと互いに混用されて使われている。即ち，１つの無線基地局や基地局制御器に１ｘＥＶ−ＤＯシステムと１Ｘシステムが同時に設けられるが，動作は各々別個になされている。言い換えると，基地局伝送機には１ｘＥＶ−ＤＯシステムを担当するチャネルカード（Ｃｈａｎｎｅｌ  Ｃａｒｄ）と１Ｘシステムを担当するチャネルカードが各々備えられている。また，基地局制御器にも１ｘＥＶ−ＤＯシステムと送受信するパケットデータを処理するデータ処理ボードと，１Ｘシステムと送受信するデータを処理するデータ処理ボードが各々備えられている。
【０００９】
無線基地局や基地局制御器などの移動通信システムから移動端末機にマルチメディアデータが伝送される時は，１ｘＥＶ−ＤＯシステムに伝送されて，音声やデータが伝送される時は，１Ｘシステムに伝送される。
【００１０】
一方，使用者が１ｘＥＶ−ＤＯシステムから移動端末機にマルチメディアデータを受信しようとする場合には，１ｘＥＶ−ＤＯシステムに呼接続を要求する。この際，１ｘＥＶ−ＤＯシステムでは呼接続を要求した移動端末機に対してパイロットチャネルやトラフィックチャネル，アクセスチャネルなど，多数のチャネルを設定するために周波数信号を割り当てることになる。しかし，１ｘＥＶ−ＤＯシステムの内部的に異常があって動作エラーが発生した場合には，呼接続を要求した移動端末機に対して周波数信号を割り当てられなくなる。
【００１１】
従って，呼接続を要求した移動端末機は，１ｘＥＶ−ＤＯシステムへの呼接続が失敗することになって，呼接続に失敗した事実をディスプレイすることになる。使用者はマルチメディアデータの伝送を受けるために，１ｘＥＶ−ＤＯシステムに呼接続をはじめから再度試みなければならない面倒な問題点がある。再接続を試みても，使用者は１ｘＥＶ−ＤＯシステムが復旧されない限り，呼接続は再度失敗することになる。
【発明の開示】
【発明が解決しようとする課題】
【００１２】
前記の問題点を解決するために，本発明は，ハイブリッド端末機（ＨＡＴ）から１ｘＥＶ−ＤＯシステムに呼接続を要請する時，１ｘＥＶ−ＤＯシステムに障害が発生した場合，１Ｘシステムに呼接続を切換えて呼接続を遂行する，１ｘＥＶ−ＤＯシステムの障害時に１Ｘシステムに呼接続を切換える方法及びシステムを提供することをその目的とする。
【課題を解決するための手段】
【００１３】
前記の目的の達成のために，本発明は，１ｘＥＶ−ＤＯシステムの障害発生の際，１Ｘシステムに呼接続を切換えるハイブリッド移動通信システムにおいて，前記１Ｘシステムと連動し，音声信号伝送サービス，または，低速データ伝送サービスを提供受けるための１Ｘモード，または，前記１ｘＥＶ−ＤＯシステムと連動し，高速データ伝送サービスを提供受けるための１ｘＥＶ−ＤＯモードに動作して，前記高速データ伝送サービスを提供受けるために，前記１ｘＥＶ−ＤＯシステムに呼接続を試みる際，前記１ｘＥＶ−ＤＯシステムからコネクション拒否メッセージを受信すると，前記１Ｘモードに切換えて前記１Ｘシステムに呼接続を実行し，データ伝送サービスを提供受けるハイブリッド端末機と，エアーインターフェースを通じて前記ハイブリッド端末機に前記高速データ伝送サービスを高速で提供する１ｘＥＶ−ＤＯ伝送機と，前記ハイブリッド端末機に前記音声信号伝送サービス，または，前記低速データ伝送サービスを提供する１Ｘ伝送機と，前記１ｘＥＶ−ＤＯ伝送機の前記高速データ伝送サービスを制御する１ｘＥＶ−ＤＯ制御器と，前記１Ｘ伝送機の前記音声信号伝送サービス，または，前記低速データ伝送サービスを制御する１Ｘ制御器と，前記ハイブリッド端末機からの通信呼に対し，前記１Ｘシステムに通信接続経路をスイッチングして提供する移動通信交換局と，ＩＰ（Ｉｎｔｅｒｎｅｔ  Ｐｒｏｔｏｃｏｌ）パケット形態で前記１ｘＥＶ−ＤＯシステムと高速データを送受信するパケットデータノードを含むことを特徴とする，ハイブリッド移動通信システムを提供する。
【００１４】
また，本発明の別の目的によると，１ｘＥＶ−ＤＯシステムの障害発生の際，１Ｘシステムに呼接続を切換える方法であって，（ａ）前記１Ｘシステムと通信するための１Ｘモードと前記１ｘＥＶ−ＤＯシステムと通信するための１ｘＥＶ−ＤＯモードを初期化して通信を待機するステップと，（ｂ）前記１Ｘモードと前記１ｘＥＶ−ＤＯモードに対してデュアルモニタリングを遂行するステップと，（ｃ）マルチメディアデータの送受信のために前記１ｘＥＶ−ＤＯモードをアクティブ状態にするステップと，（ｄ）前記１ｘＥＶ−ＤＯシステムにコネクション要請メッセージを伝送して呼接続を要求するステップと，（ｅ）前記１ｘＥＶ−ＤＯシステムからコネクション拒否メッセージが受信されたかどうかを判断するステップと，（ｆ）前記コネクション拒否メッセージを受信すると，前記１ｘＥＶ−ＤＯモードの動作を中止して，前記１Ｘモードに切換えて前記１Ｘモードをアクティブ状態にするステップと，（ｇ）前記１Ｘシステムに呼接続を実行してデータを送受信するステップとを含むことを特徴とする，１ｘＥＶ−ＤＯシステムの障害時に１Ｘシステムに呼接続を切換える方法を提供する。
【００１５】
また，本発明の又別の目的によると，１ｘＥＶ−ＤＯシステムの障害発生時，１Ｘシステムに呼接続を切換えるハイブリッド端末機であって，前記１Ｘシステムと連動して音声信号伝送サービス，または，低速データ伝送サービスを提供受けるための１Ｘモード，または，前記１ｘＥＶ−ＤＯシステムと連動して高速データ伝送サービスを提供受けるための１ｘＥＶ−ＤＯモードに動作して，前記高速データ伝送サービスを提供受けるために，前記１ｘＥＶ−ＤＯシステムに呼接続を試みる時，前記１ｘＥＶ−ＤＯシステムからコネクション拒否メッセージを受信すると，前記１Ｘモードに切換えて前記１Ｘシステムに呼接続を実行し，データ伝送サービスを提供受けることを特徴とする，ハイブリッド端末機を提供する。
【発明の効果】
【００１６】
本発明によると，マルチメディアサービスの提供を受けるために，移動端末機から１ｘＥＶ−ＤＯシステムに呼接続を遂行する際，１ｘＥＶ−ＤＯシステムに障害が発生しても１Ｘシステムに呼接続の切換を遂行することにより，呼接続を数回再試図しないようにして，使用者に即時にサービスを提供することができる。
【００１７】
また，使用者は障害が発生した１ｘＥＶ−ＤＯシステムが復旧される間にも１Ｘシステムを通じてマルチメディアデータサービスの提供を絶えず受けることができる。
【発明を実施するための最良の形態】
【００１８】
以下，本発明の好ましい実施の形態を添付の図面を参照しながら詳細に説明する。まず，各図面の構成要素らに参照符号を付加することにおいて，同一な構成要素に対しては，たとえ，他の図面上に表示されても，できる限り同一な符号を有するようにしていることに留意しなければならない。また，本発明の説明において，関連する公知構成，または，機能に対する具体的な説明が本発明の要旨を不明瞭にすると判断される場合にはその詳細な説明は省略する。
【００１９】
図１は，本発明の実施の形態に係る１ｘＥＶ−ＤＯシステムと１Ｘシステムとの間の呼接続を切換えるハイブリッド移動通信システムの構成を概略的に示すものである。
【００２０】
図１に示すように，本発明に係るハイブリッド移動通信システム１００は１ｘＥＶ−ＤＯシステムと１Ｘシステムが混用される構成を有する。即ち，音声信号，または，低速データの伝送のための構成であって，ハイブリッド端末機（ＨＡＴ：Ｈｙｂｒｉｄ  Ａｃｃｅｓｓ  Ｔｅｒｍｉｎａｌ）１１０，１Ｘ伝送機１２２，１Ｘ制御器１３２及び移動通信交換局（ＭＳＣ：Ｍｏｂｉｌｅ  Ｓｗｉｔｃｈｉｎｇ  Ｃｅｎｔｅｒ）１４０を含む構成を有して，マルチメディアデータの伝送のための構成であって，ハイブリッド端末機１１０，１ｘＥＶ−ＤＯ（アクセス網）伝送機（ＡＮＴＳ：Ａｃｃｅｓｓ  Ｎｅｔｗｏｒｋ  Ｔｒａｎｓｃｅｉｖｅｒ  Ｓｕｂｓｙｓｔｅｍ）１２４，１ｘＥＶ−ＤＯ（アクセス網）制御器（ＡＮＣ：Ａｃｃｅｓｓ  Ｎｅｔｗｏｒｋ  Ｃｏｎｔｒｏｌｌｅｒ）１３４，パケットデータサービングノード（ＰＤＳＮ：Ｐａｃｋｅｔ  Ｄａｔａ  Ｓｅｒｖｉｎｇ  Ｎｏｄｅ，以下，‘ＰＤＳＮ'という）１５０及びＩＰ（Ｉｎｔｅｒｎｅｔ  Ｐｒｏｔｏｃｏｌ）網１６０を含む構成を有する。
【００２１】
ハイブリッド端末機１１０は，１ｘＥＶ−ＤＯシステムと１Ｘシステムが各々提供する通信サービスを全て受け入れることができる移動通信端末機である。ハイブリッド端末機１１０は，一定の時間間隔を置いて周期的に２つのシステムを交互にモニタリング（Ｍｏｎｉｔｏｒｉｎｇ）する。即ち，１ｘＥＶ−ＤＯシステムを利用しない１Ｘシステムの動作状態では，ハイブリッド端末機１１０が１Ｘシステムと通信する間に１ｘＥＶ−ＤＯシステムを周期的に検索して，１ｘＥＶ−ＤＯシステムを用いるトラフィックでは，１ｘＥＶ−ＤＯシステムと通信する間に１Ｘシステムを周期的に検索する。
【００２２】
例えば，１ｘＥＶ−ＤＯシステムとのトラフィック状態において，ハイブリッド端末機１１０は１Ｘシステムから伝送されるかもしれない音声呼接続信号，短文メッセージなどの呼び出し信号に応答して，１Ｘシステムに自分の位置を登録させるために周期的に１Ｘシステムに接続し，システムメッセージ，アクセス（Ａｃｃｅｓｓ）メッセージなどのようなシステム資源（Ｒｅｓｏｕｒｃｅ）を更新する。従って，ハイブリッド端末機１１０は，１Ｘシステムを通じては音声信号伝送サービス及び低速のデータ伝送サービスの提供を受けて，１ｘＥＶ−ＤＯシステムを通じては高速のデータサービスの提供を受けることができるように，両システムを全て受け入れるためにハードウェア的には両システム各々に対応する構成を備え，かつ，両構成は互いに独立的に動作する。このような複合機能及び構成を有するハイブリッド端末機１１０は，一般的に通信を待機する待機状態では１Ｘシステムを通じて通信するように，１Ｘモードにスイッチング設定されており，１ｘＥＶ−ＤＯシステムにデータが着信されたかどうかを確認するために，一定時間間隔で１ｘＥＶ−ＤＯモードに切換えてから，また１Ｘモードに復帰する動作を遂行する。
【００２３】
このような１Ｘシステムと１ｘＥＶ−ＤＯシステムとの間のスイッチ機能は，ハイブリッド端末機１１０に内装されているベースバンドモデム（Ｂａｓｅ  Ｂａｎｄ  Ｍｏｄｅｍ）の一種であるＭＳＭ（Ｍｏｂｉｌｅ  Ｓｔａｔｉｏｎ  Ｍｏｄｅｍ）チップに搭載されたソフトウェアにより制御されて，ハードウェア的にはＭＳＭチップと連結されたサーチャー（Ｓｅａｒｃｈｅｒ）という部品が，両システムで使われる周波数を追跡（Ｔｒａｃｋｉｎｇ）することにより遂行される。即ち，ハイブリッド端末機１１０が１ｘＥＶ−ＤＯシステムから１Ｘシステムにスイッチングする時は，ＭＳＭチップの制御によりサーチャーモジュールが１Ｘシステムで使用する周波数を追跡してスイッチングし，１Ｘシステムから１ｘＥＶ−ＤＯシステムにスイッチングする時は，サーチャーモジュールが１ｘＥＶ−ＤＯシステムで使用する周波数を追跡してスイッチングする。
【００２４】
１ｘＥＶ−ＤＯモード状態において，１ｘＥＶ−ＤＯシステムからアクセス網（ＡＮ）を経由しハイブリッド端末機１１０にマルチメディアデータを伝送する順方向リンク（Ｆｏｒｗａｒｄ  Ｌｉｎｋ）の場合には，ＴＤＭＡ（Ｔｉｍｅ  Ｄｉｖｉｓｉｏｎ  Ｍｕｌｔｉｐｌｅ  Ａｃｃｅｓｓ：時分割多元接続）方式を用いて多量のメッセージを伝送できるようにする。一方，ハイブリッド端末機１１０からアクセス網（ＡＮ）を経由し１ｘＥＶ−ＤＯシステムにデータを伝送する逆方向リンク（Ｒｅｖｅｒｓｅ  Ｌｉｎｋ）の場合には，多数の加入者を受け入れるために符号分割多重接続（ＣＤＭＡ）方式を用いることになる。
【００２５】
また，ハイブリッド端末機１１０は，１ｘＥＶ−ＤＯモード状態において１ｘＥＶ−ＤＯシステムからデータを受信している時に，１Ｘモードに音声信号の着信があるかどうかを確認するために，一定時間間隔ごとに１Ｘモードに切換えてから，また１ｘＥＶ−ＤＯモードに復帰する動作を遂行する。
【００２６】
そして，１ｘＥＶ−ＤＯモード状態において，１ｘＥＶ−ＤＯシステムからマルチメディアデータを受信するために，ハイブリッド端末機１１０が１ｘＥＶ−ＤＯ伝送機１２４に接続しようとする場合に，１ｘＥＶ−ＤＯ伝送機１２４や１ｘＥＶ−ＤＯ制御器１３４に障害が発生し，１ｘＥＶ−ＤＯ伝送機１２４からコネクション拒否（Ｃｏｎｎｅｃｔｉｏｎ  Ｄｅｎｙ）メッセージを受信すると，１ｘＥＶ−ＤＯシステムを障害状態と認識して，１ｘＥＶ−ＤＯモード状態から１Ｘモードに切換えて，１Ｘシステムに呼接続を行って，１Ｘシステムからマルチメディアデータの伝送を受ける。
【００２７】
１Ｘ伝送機１２２及び１ｘＥＶ−ＤＯ伝送機１２４は，基地局伝送機（ＢＴＳ：Ｂａｓｅ  Ｓｔａｔｉｏｎ  Ｔｒａｎｓｃｅｉｖｅｒ  Ｓｕｂｓｙｓｔｅｍ）１２０であって，エアーインターフェース（Ａｉｒ  Ｉｎｔｅｒｆａｃｅ）を通じて，ハイブリッド端末機１１０に音声信号やマルチメディアデータを伝送する移動通信サービスを提供する。例えば，１Ｘ伝送機１２２はハイブリッド端末機１１に音声，または，低速のデータを提供して，１ｘＥＶ−ＤＯ伝送機１２４はハイブリッド端末機１１０に主に高速のデータのみを提供する。
【００２８】
１Ｘ制御器１３２及び１ｘＥＶ−ＤＯ制御器１３４は，基地局制御器（ＢＳＣ：Ｂａｓｅ  Ｓｔａｔｉｏｎ  Ｃｏｎｔｒｏｌｌｅｒ）１３０であって，基地局伝送機１２０の移動通信サービスを制御する役割をする。即ち，１Ｘ制御器１３２は，音声，または，データの伝送制御のために，複数の１Ｘ伝送機を移動通信交換局１３０と連結させて，１ｘＥＶ−ＤＯ制御器１３４はデータの伝送制御のために，複数の１ｘＥＶ−ＤＯ伝送機をパケットデータ網であるＰＤＳＮ１５０と連結させる。
【００２９】
特に，１ｘＥＶ−ＤＯ制御器１３４は，ハイブリッド端末機１１０からマルチメディアデータ伝送のための呼接続要求がある時に，１ｘＥＶ−ＤＯ伝送機１２４，または，１ｘＥＶ−ＤＯ制御器１３４に障害が発生し，ハイブリッド端末機１１０との呼接続を遂行できない場合，ハイブリッド端末機１１０にコネクション拒否（Ｃｏｎｎｅｃｔｉｏｎ  Ｄｅｎｙ）メッセージを伝送することにより，ハイブリッド端末機１１０が１ｘＥＶ−ＤＯシステムへの呼接続を中止して，１Ｘシステムに呼接続を遂行するようにする。
【００３０】
移動通信交換局１４０は，複数の１Ｘ制御器１３２を，他の移動通信交換局または公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ，以下，‘ＰＳＴＮ'という）１４６と物理的に連結して，ハイブリッド端末機１１０から呼接続要求がある場合，１Ｘシステムの通信接続経路を切換えて提供する。
【００３１】
また，移動通信交換局１４０は，自分に登録された移動端末機の情報を格納しているデータベースであるホーム位置登録器（Ｈｏｍｅ  Ｌｏｃａｔｉｏｎ  Ｒｅｇｉｓｔｅｒ，以下，‘ＨＬＲ'という）１３２と，自分のサービス領域内にある移動端末機の情報を格納しているデータベースである訪問者位置登録器（Ｖｉｓｉｔｏｒ  Ｌｏｃａｔｉｏｎ  Ｒｅｇｉｓｔｅｒ，以下，‘ＶＬＲ’という）１３４から移動端末機の情報を得て，加入者の呼を処理する。
【００３２】
データのみを伝送するためのパケットデータシステムである１ｘＥＶ−ＤＯシステムは，ＴＣＰ／ＩＰを基盤にしてＰＤＳＮ１５０に結合して，ＩＰパケット（Ｉｎｔｅｒｎｅｔ  Ｐｒｏｔｏｃｏｌ  Ｐａｃｋｅｔ）形態でＩＰ網１６０と各種データを送受信する。そして，ＩＰ網１６０からハイブリッド端末機１１０側に伝送されるパケットデータを受信した後，パケットデータに基づいて，パケットデータサービスのための，例えば，ＭＰＥＧパケットなどを生成して，生成したパケットデータをＴＤＭ方式で分割されたタイムスロットに載せてハイブリッド端末機１１０に送出する。そして，ハイブリッド端末機１１０から受信されるＣＤＭＡ方式を用いて変調されたデータを受信し，変調されたデータに基づいてＩＰパケットを生成した後，該ＩＰパケットをＰＤＳＮ１５０に送出することになる。
【００３３】
１ｘＥＶ−ＤＯシステムは，セクタ当たりの処理量を最大化して，各使用者に対し，チャネル状況により，できる限り高速の伝送を割り当てることが要求される。従って，１ｘＥＶ−ＤＯシステムは１つのセクタ内にある１つのハイブリッド端末機１１０にマルチメディアデータを伝送する時には，最大の出力でマルチメディアサービスを提供する。
【００３４】
１ｘＥＶ−ＤＯシステムにおいて順方向リンクの場合，基地局では出力制御（Ｐｏｗｅｒ  Ｃｏｎｔｒｏｌ）を行わずにマルチメディアデータを送出できる最大の出力で送出して，ハードハンドオフ（Ｈａｒｄ  Ｈａｎｄｏｆｆ）が可能である。逆方向リンクの場合には，各ハイブリッド端末機別に出力制御を遂行して，ソフター（Ｓｏｆｔｅｒ），または，ソフトハンドオフ（Ｓｏｆｔ  Ｈａｎｄｏｆｆ）が可能である。
【００３５】
図２ａは，１ｘＥＶ−ＤＯ伝送機１２４からハイブリッド端末機１１０に伝送される順方向（Ｆｏｒｗａｒｄ）リンクのチャネル構造を示すものである。
【００３６】
図２ａに示すように，順方向リンクはパイロット（Ｐｉｌｏｔ）チャネル，ＭＡＣ（Ｍｅｄｉｕｍ  Ａｃｃｅｓｓ  Ｃｏｎｔｒｏｌ）チャネル，制御（Ｃｏｎｔｒｏｌ）チャネル及びトラフィック（Ｔｒａｆｆｉｃ）チャネルからなる。パイロットチャネルは，１ｘＥＶ−ＤＯシステムがハイブリッド端末機１１０を追跡するためのパイロット信号を送出するチャネルであって，ハイブリッド端末機１１０は，パイロットチャネルを通じて伝送される１つ以上のパイロット信号を受信して，受信されたパイロット信号の中で最も信号の強さの大きいパイロット信号を伝送した無線基地局に接続する。また，パイロットチャネルは，ハイブリッド端末機１１０が１ｘＥＶ−ＤＯシステムの無線基地局の干渉検出（Ｃｏｈｅｒｅｎｔ  Ｄｅｔｅｃｔｉｏｎ）を遂行する際，参照する用途にも使われる。
【００３７】
ＭＡＣチャネルは，主に逆方向リンクの制御に使われるチャネルであって，ＲＡ（Ｒｅｖｅｒｓｅ  Ａｃｔｉｖｉｔｙ）チャネルとＲＰＣ（Ｒｅｖｅｒｓｅ  Ｐｏｗｅｒ  Ｃｏｎｔｒｏｌ）チャネルとからなる。ここで，ＲＡチャネルは逆方向リンクの伝送速度を決定することに使われるチャネルであって，逆方向リンクのチャネルらが飽和状態になった際，ハイブリッド端末機１１０に伝送速度を低めるように要求することにも使われる。また，ＲＰＣチャネルはハイブリッド端末機１１０が逆方向リンクを通じた信号やデータ伝送の場合に送信出力を制御することに使われるチャネルである。
【００３８】
制御チャネルは，１ｘＥＶ−ＤＯシステムからハイブリッド端末機１１０にブロードキャストメッセージ（Ｂｒｏａｄｃａｓｔ  Ｍｅｓｓａｇｅ）を伝送したり，特定のハイブリッド端末機を直接制御するための直接メッセージ（Ｄｉｒｅｃｔ  Ｍｅｓｓａｇｅ）を伝送したりすることに使われるチャネルである。トラフィックチャネルは１ｘＥＶ−ＤＯシステムからハイブリッド端末機１１０にパケットデータのみを伝送することに使われるチャネルである。
【００３９】
以下に，図２ｂを参照しながら順方向リンクのタイムスロットの構造及びデータ構造に対して説明する。順方向リンクは，１フレーム（Ｆｒａｍｅ）当り１６タイムスロット（Ｔｉｍｅ  Ｓｌｏｔ）で構成されて，１フレームは略２６．６７ｍｓの時間間隔を有する。１つのタイムスロットは前半部スロット（Ｆｉｒｓｔ  Ｈａｌｆ  Ｓｌｏｔ）１０２４チップ（Ｃｈｉｐｓ）と後半部スロット（Ｓｅｃｏｎｄ  Ｈａｌｆ  Ｓｌｏｔ）１０２４チップ（Ｃｈｉｐｓ）の計２０４８チップ（Ｃｈｉｐｓ）で構成されて，１つのタイムスロット当り１．６７ｍｓの時間間隔を有する。
【００４０】
図２ｂに示したように，各々の前半部スロット及び後半部スロットは，データ（Ｄａｔａ）スロット４００チップ（Ｃｈｉｐｓ）と，ＭＡＣスロット６４チップ（Ｃｈｉｐｓ），パイロット（Ｐｉｌｏｔ）スロット９６チップ（Ｃｈｉｐｓ），マック（ＭＡＣ）スロット６４チップ（Ｃｈｉｐｓ），データスロット４００チップ（Ｃｈｉｐｓ）で構成される。
【００４１】
図３はハイブリッド端末機１１０から１ｘＥＶ−ＤＯ伝送機１２４に伝送される逆方向（Ｒｅｖｅｒｓｅ）リンクのチャネル構造を示すものである。
【００４２】
図３に図示された逆方向リンクは，１Ｘシステムのように符号分割多重接続方式を用いて，アクセス（Ａｃｃｅｓｓ）チャネルとトラフィック（Ｔｒａｆｆｉｃ）チャネルとに大別される。アクセスチャネルはパイロット（Ｐｉｌｏｔ）チャネルとデータ（Ｄａｔａ）チャネルで構成されて，トラフィックチャネルはパイロットチャネル，ＭＡＣチャネル，応答（Ａｃｋ）チャネル及びデータチャネルで構成される。ここで，ＭＡＣチャネルは，さらにＲＲＩ（Ｒｅｖｅｒｓｅ  Ｒａｔｅ  Ｉｎｄｉｃａｔｏｒ）チャネルとＤＲＣ（Ｄａｔａ  Ｒａｔｅ  Ｃｏｎｔｒｏｌ）チャネルとで構成される。
【００４３】
アクセスチャネルは，開始（Ｏｒｉｇｉｎａｔｉｏｎ）信号（Ｃｏｎｎｅｃｔｉｏｎ＿Ｒｅｑｕｅｓｔ  Ｍｅｓｓａｇｅ）と登録（Ｒｅｇｉｓｔｒａｔｉｏｎ）信号（Ｒｏｕｔｅ＿Ｕｐｄａｔｅ  Ｍｅｓｓａｇｅ）を伝送することに使われるチャネルであり，無線チャネルの安定性（Ｓｔａｂｉｌｉｔｙ）のために，９．６ｋｂｐｓの低い伝送率を有する。
【００４４】
パイロットチャネルは，図２ａの説明で説明した順方向リンクにおけるパイロットチャネルに類似しており，ハイブリッド端末機１１０が１ｘＥＶ−ＤＯシステムの無線基地局の干渉検出（Ｃｏｈｅｒｅｎｔ  Ｄｅｔｅｃｔｉｏｎ）を遂行する時に参照する用途で使われる。データチャネルは，ハイブリッド端末機１１０が１ｘＥＶ−ＤＯシステムにアクセスするために必要なデータを伝送することに使われるチャネルである。
【００４５】
トラフィックチャネルは，ハイブリッド端末機１１０が１ｘＥＶ−ＤＯシステムにパケットデータを伝送する用途に使われるチャネルで，無線環境によって多様なデータ伝送速度を支援する。
【００４６】
パイロットチャネルは，アクセスチャネルの説明で説明したパイロットチャネルと同じ機能を遂行する。ＭＡＣチャネルは，トラフィックチャネルのデータ伝送率を制御することに使われるチャネルで，ハイブリッド端末機１１０が１ｘＥＶ−ＤＯシステムと接続を維持する間，継続的に形成されるチャネルである。ＭＡＣチャネルにおけるＲＲＩチャネルは，ハイブリッド端末機１１０が伝送するトラフィックチャネルのデータ伝送率の情報を知らせることに使われるチャネルであって，ＲＲＩの値はハイブリッド端末機１１０に表示される。
【００４７】
また，ＤＲＣチャネルは，順方向リンクのチャネル環境によって復調可能なデータ速度（Ｄａｔａ  Ｒａｔｅ）を定めて基地局に知らせる役割をする。即ち，１ｘＥＶ−ＤＯ伝送機１２４では順方向チャネルのタイムスロットを用いてハイブリッド端末機１１０にパケットデータを伝送するが，パケットデータの伝送速度の決定基準がハイブリッド端末機１１０が送出するＤＲＣ  Ｃｏｖｅｒ値である。ハイブリッド端末機１１０はＤＲＣ  Ｃｏｖｅｒ値を決定するために１ｘＥＶ−ＤＯ伝送機１２４から受信するＣ／Ｉ（Ｃａｒｒｉｅｒ  ｔｏ  Ｉｎｔｅｒｆｅｒｅｎｃｅ）値を測定し，最大の伝送速度を出すことができるＤＣＲ  Ｃｏｖｅｒ値を決定する。
【００４８】
応答チャネルは，ハイブリッド端末機１１０がタイムスロット単位で順方向に受信したデータに対する応答信号を伝送することに使われるチャネルであって，データの長さが少なく，干渉（Ｉｎｔｅｒｆｅｒｅｎｃｅ）を減らすために基本タイムスロット長さの１/２だけ占める。
【００４９】
データチャネルは，アクセスチャネルにおけるデータチャネルと同様に，ハイブリッド端末機１１０がパケットデータのみを伝送するのに使われるチャネルである。
【００５０】
一方，トラフィックチャネルの基本伝送単位であるパケットは２６．６６ｍｓの長さを有して，パケットサイズ別に伝送ビット速度（ｂｉｔ  ｔｒａｎｓｍｉｓｓｉｏｎ  ｒａｔｅが変わって伝送される。逆方向リンクで使われるパイロットチャネル，トラフィックチャネル，ＤＲＣチャネル及び応答チャネルは直交方式であるＷａｌｓｈ符号（Ｗａｌｓｈ  Ｃｏｄｅ）を使用して区分する。
【００５１】
次に，前述したシステム構成と図４に図示された順序図に基づいて，本発明の実施の形態に係る１ｘＥＶ−ＤＯシステムの障害時に１Ｘシステムに切換えて呼接続を実行する動作を説明する。
【００５２】
図４は，１ｘＥＶ−ＤＯシステムの障害時に１Ｘシステムに呼接続を切換える方法を示す順序図である。
【００５３】
まず，ハイブリッド端末機１１０は使用者により電源がオンされると，１Ｘシステムの１Ｘ制御器１３２及び１Ｘ伝送機１２２からパイロット信号を受信し，１Ｘモードを初期化（Ｉｎｉｔｉａｌｉｚａｔｉｏｎ）し待機状態を維持する。そして，１Ｘモード初期化時に獲得したシステムパラメータメッセージと１ｘＥＶ−ＤＯ制御器１３４及び１ｘＥＶ−ＤＯ伝送機１３２から伝送されたパイロット信号を用いて１ｘＥＶ−ＤＯモードを初期化した後，待機状態を維持する（Ｓ４１０）。
【００５４】
待機状態において，ハイブリッド端末機１１０は端末機の動作を基本的に１Ｘモードに設定して通信を待機する。
【００５５】
１Ｘモードと１ｘＥＶ−ＤＯモードを初期化したハイブリッド端末機１１０は，１Ｘモードに設定されている状態で，１Ｘモードと１ｘＥＶ−ＤＯモードとの間にデュアルモニタリングを遂行する。ハイブリッド端末機１１０は，１Ｘモード状態において５．１２秒周期で１ｘＥＶ−ＤＯモードをモニタリングすることになる（Ｓ４２０）。
【００５６】
ここで，デュアルモニタリングの意味は，ハイブリッド端末機１１０が基本的に１Ｘモード状態で１Ｘ伝送機１２４から着信があるか，または，データの伝送があるかどうかを監視する動作を遂行して，５．１２秒後，ハイブリッド端末機１１１の動作モードを１ｘＥＶ−ＤＯモードに切換えて，１ｘＥＶ−ＤＯ伝送機１２４からデータの伝送があるかどうかを監視する動作を遂行し，その後にまた１Ｘモードに復帰することを意味する。
【００５７】
一方，使用者が１ｘＥＶ−ＤＯシステムからハイブリッド端末機１１０にマルチメディアデータの伝送を受けようとする場合，ハイブリッド端末機１１０を操作して，ハイブリッド端末機１１０を１ｘＥＶ−ＤＯモードに設定することになり，これによって，ハイブリッド端末機１１０は，１ｘＥＶ−ＤＯモードにデータを受信するために１ｘＥＶ−ＤＯモードをアクティブ状態にする。また，１ｘＥＶ−ＤＯ伝送機１２４からハイブリッド端末機１１０にマルチメディアデータを一方的に伝送する場合，ハイブリッド端末機１１０は１Ｘモードから１ｘＥＶ−ＤＯモードに切換えた状態でデータを受信しなければならないので，マルチメディアデータを受信するために，１ｘＥＶ−ＤＯモードをアクティブ状態にする（Ｓ４３０）。
【００５８】
ハイブリッド端末機１１０の１ｘＥＶ−ＤＯモードがアクティブ状態になると，ハイブリッド端末機１１０は１ｘＥＶ−ＤＯ伝送機１２４からマルチメディアデータを送受信できるように，１ｘＥＶ−ＤＯ伝送機１２４とコネクション（Ｃｏｎｎｅｃｔｉｏｎ）とセッション（Ｓｅｓｓｉｏｎ）を形成しなければならない。従って，ハイブリッド端末機１１０は，１ｘＥＶ−ＤＯ伝送機１２４からデータの伝送を受けるためにコネクションを形成するためのコネクション要請メッセージを１ｘＥＶ−ＤＯ伝送機１２４に伝送して，呼接続を要求する（Ｓ４４０）。
【００５９】
ここで，コネクションは論理的な通信路（Ｃｏｍｍｕｎｉｃａｔｉｏｎ  Ｐａｔｈ）をいうものであって，通信では情報伝達のために端末機とシステムとの間に設定された通信路を意味する。また，セッションは，端末機とシステムとの間に通信を遂行するために，メッセージ交換を通じて互いを認識した以後から通信を終える時までの期間を意味する。
【００６０】
一方，１ｘＥＶ−ＤＯ制御器１３４は，ハイブリッド端末機１１０から１ｘＥＶ−ＤＯ伝送機１２４を経由し，コネクション要請メッセージを受信，即ち，呼接続要求を受信すると，基地局伝送機の全ての資源，基地局制御器の全ての資源，ＰＤＳＮの全ての資源に障害が発生したかどうかを点検する。１ｘＥＶ−ＤＯ伝送機１２４，または，１ｘＥＶ−ＤＯ制御器１３４内にシステム障害が発生したと判断した場合，１ｘＥＶ−ＤＯ制御器１３４はハイブリッド端末機１１０にコネクション拒否（Ｃｏｎｎｅｃｔｉｏｎ  Ｄｅｎｙ）メッセージを送出することになる。ここで，システム障害は，基地局から呼接続を要求したハイブリッド端末機１１０に対してパイロットチャネルをはじめとする多数のチャネルを設定するために割り当てなければならない周波数信号を，一定時間以上割り当てられなかったり，信号の強さなどのシステムパラメータに異常が発生したりする状態をいう。
【００６１】
ハイブリッド端末機１１０は，１ｘＥＶ−ＤＯ制御器１３４から１ｘＥＶ−ＤＯ伝送機１２４を経てコネクション拒否メッセージを受信すると（Ｓ４５０），アクティブ状態である１ｘＥＶ−ＤＯモードの作動を中止して，１Ｘモードに自動的に切換えて１Ｘモードをアクティブ状態へ作動させる（Ｓ４６０）。
【００６２】
次に，ハイブリッド端末機１１０は，アクティブ状態にした１Ｘモードを使用して，１Ｘシステムに呼接続を遂行する。呼接続がなされた以後は，基地局伝送機１２２と基地局制御器１３２と移動通信交換局１４０を含んだ１Ｘシステムとデータを送受信することになる（Ｓ４７０）。
【００６３】
一方，１ｘＥＶ−ＤＯ制御器１３４から１ｘＥＶ−ＤＯ伝送機１２４を経てコネクション拒否メッセージが受信されたかどうかを判断するステップＳ４５０において，１ｘＥＶ−ＤＯシステムの通常の動作によって１ｘＥＶ−ＤＯ伝送機１２４からコネクション応答メッセージを受信すると，ハイブリッド端末機１１０は１ｘＥＶ−ＤＯ伝送機１２４とコネクション及びセッション（Ｓｅｓｓｉｏｎ）を形成して呼接続を完了して，データを送受信する過程を遂行することになる（Ｓ４８０）。
【００６４】
即ち，１ｘＥＶ−ＤＯ伝送機１２４とハイブリッド端末機１１０との間にコネクションを形成した後，セッション（Ｓｅｓｓｉｏｎ）を設定することになるが，ハイブリッド端末機１１０が，１ｘＥＶ−ＤＯ伝送機１２４を経て１ｘＥＶ−ＤＯ制御器１３４にＵＡＴＩ（Ｕｎｉｃａｓｔ  Ａｃｃｅｓｓ  Ｔｅｒｍｉｎａｌ  Ｉｄｅｎｔｉｆｉｅｒ）を要請して，１ｘＥＶ−ＤＯ制御器１３４からハイブリッド端末機１１０にＵＡＴＩを割り当てることにより，セッションを設定する。ここで，ＵＡＴＩは端末機のＩＤであって，アクセス網からハイブリッド端末機１１０に割り当てる番号を意味する。ハイブリッド端末機１１０と１ｘＥＶ−ＤＯ伝送機１２４との間にセッションが形成されると，１ｘＥＶ−ＤＯデータ呼のセットアップ，電力制御，ハンドオフに使われるパラメータ（Ｐａｒａｍｅｔｅｒ）などが設定される。
【００６５】
ハイブリッド端末機１１０と１ｘＥＶ−ＤＯシステムとの間にセッションが生成された後は，１ｘＥＶ−ＤＯ制御器１３４は，ＰＤＳＮ１５０を通じてＩＰ網１６０から伝送されてきたパケットデータを，１ｘＥＶ−ＤＯ伝送機１２０を経由しハイブリッド端末機１１０に無線で提供する。
【００６６】
本発明の実施の形態によると，ハイブリッド端末機（ＨＡＴ）から１ｘＥＶ−ＤＯシステムに呼接続を要請する際に，１ｘＥＶ−ＤＯシステムに障害が発生していた場合，１Ｘシステムに呼接続を切換えて呼接続を遂行する方法及びシステムを実現できることになる。
【００６７】
以上の説明は本発明の技術事象を例示的に説明したことに過ぎないものであって，本発明が属する技術分野で通常の知識を有する者であれば本発明の本質的な特性から外れない範囲で多様な修正及び変形が可能である。従って，本発明に開示された実施の形態らは本発明の技術事象を限定するためのものでなく，説明するためのものであり，このような実施の形態により，本発明の技術事象の範囲が限るのではない。本発明の保護範囲は請求範囲により解析されなければならないし，それと同等な範囲内にある全ての技術事象は本発明の権利範囲に含まれることと解析されなければならないものである。
【図面の簡単な説明】
【００６８】
【図１】本発明の実施の形態に係る１ｘＥＶ−ＤＯシステム障害時，１Ｘシステムへの呼接続切換を説明するためのシステム構成図である。
【図２ａ】１ｘＥＶ−ＤＯ伝送機からハイブリッド端末機に伝送される順方向リンクのチャネル構造を示す図面である。
【図２ｂ】１ｘＥＶ−ＤＯ伝送機からハイブリッド端末機に伝送される順方向リンクのタイムスロットの構造及びデータ構造を示す図面である。
【図３】ハイブリッド端末機から１ｘＥＶ−ＤＯ伝送機に伝送される逆方向リンクのチャネル構造を示す図面である。
【図４】１ｘＥＶ−ＤＯシステム障害時，１Ｘシステムへの呼接続切換方法を示す順序図である。
【符号の説明】
【００６９】
１００    ハイブリッド移動通信システム
１１０    ハイブリッド端末機
１２２    １Ｘ伝送機
１３２    １Ｘ制御器
１４０    移動通信交換局
１２４    １ｘＥＶ−ＤＯ伝送機
１３４    １ｘＥＶ−ＤＯ制御器
１５０    パケットデータノード
１６０    ＩＰ網
【図１】
2006512868.tif 000003
【図２ａ】
2006512868.tif 000004
【図２ｂ】
2006512868.tif 000005
【図３】
2006512868.tif 000006
【図４】
2006512868.tif 000007
【手続補正書】
【提出日】平成16年7月28日(2004.7.28)
【手続補正１】
【補正対象書類名】図面
【補正対象項目名】図４
【補正方法】変更
【補正の内容】
【図４】
2006512868.tif 000008
【国際調査報告】
2006512868.tif 000009
2006512868.tif 000010